(57)【要約】【課題】高い外観品質を確保しつつ、汎用性や拡張性を確保することができる屋外構造物を提供する。【解決手段】屋外構造物１０は、建物躯体１１の外面１１ａから突出するように設けられた一対の妻梁２０と、一対の妻梁２０の前端部間に連結された前桁２２と、妻梁２０及び前桁２２によって支持された上板材となるデッキ材２４と、デッキ材２４より下方で妻梁２０及び前桁２２によって支持された天井材２６とを備える。さらに屋外構造物１０は、天井材２６の前端部２６ｂを覆う前部アタッチメント部材４０と、天井材２６の側端部２６ａを覆う側部アタッチメント部材３７とを備え、前部アタッチメント部材４０及び側部アタッチメント部材３７のうち少なくとも一方の下面４０ｃ，６８ｂには、その長手方向に延在し、被装着部品となる機能商品６０を係合可能な係合溝５２が設けられている。【選択図】図４
2018178528.tif 000002
【特許請求の範囲】
【請求項１】
建物躯体の外面から突出するように設けられた一対の妻梁と、該一対の妻梁の前端部間に連結された前桁と、前記妻梁及び前記前桁によって支持された上板材と、該上板材より下方で前記妻梁及び前記前桁によって支持された天井材とを備える屋外構造物であって、
前記前桁の下面側に連結され、前記天井材の前端部を覆う前部アタッチメント部材と、前記一対の妻梁の下面側にそれぞれ連結され、前記天井材の側端部を覆う側部アタッチメント部材とを備え、
前記前部アタッチメント部材及び前記側部アタッチメント部材のうち少なくとも一方の下面には、その長手方向に延在し、被装着部品を係合可能な係合溝が設けられていることを特徴とする屋外構造物。
【請求項２】
請求項１に記載の屋外構造物において、
前記前部アタッチメント部材及び前記側部アタッチメント部材は、前記天井材を支持する支持部を有することを特徴とする屋外構造物。
【請求項３】
建物躯体の外面から突出するように設けられた一対の妻梁と、該一対の妻梁の前端部間に連結された前桁と、前記妻梁及び前記前桁によって支持された上板材と、該上板材より下方で前記妻梁及び前記前桁によって支持された天井材とを備える屋外構造物であって、
前記前桁の下面側に連結され、前記天井材の前端側を支持する支持部を有する前部アタッチメント部材と、前記一対の妻梁の下面側にそれぞれ連結され、前記天井材の側端側を支持する支持部を有する側部アタッチメント部材とを備え、
前記前部アタッチメント部材及び前記側部アタッチメント部材のうち少なくとも一方の下面には、その長手方向に延在し、被装着部品を係合可能な係合溝が設けられていることを特徴とする屋外構造物。
【請求項４】
請求項３に記載の屋外構造物において、
前記前部アタッチメント部材は、前記天井材の前端部を覆っており、
前記側部アタッチメント部材は、前記天井材の側端部を覆っていることを特徴とする屋外構造物。
【請求項５】
請求項１〜４のいずれか１項に記載の屋外構造物において、
前記前桁及び前記一対の妻梁の下面には、その長手方向に延在し、前記被装着部品を係合可能な本体側係合溝が設けられており、
前記前部アタッチメント部材は、前記前桁の本体側係合溝に係合される係合片を有し、
前記側部アタッチメント部材は、前記妻梁の本体側係合溝に係合される係合片を有することを特徴とする屋外構造物。
【請求項６】
請求項１〜５のいずれか１項に記載の屋外構造物において、
前記前部アタッチメント部材及び前記側部アタッチメント部材は、その長手方向に延在する中空部を有し、
前記係合溝は、前記中空部の下壁部に設けられていることを特徴とする屋外構造物。
【発明の詳細な説明】
【技術分野】
【０００１】
本発明は、上板材と天井材とを妻梁と前桁とで支持した屋外構造物に関する。
【背景技術】
【０００２】
住宅や店舗等の建物は、躯体の外面から張り出すようにバルコニーや屋根体等の屋外構造物が設けられることがある。このような屋外構造物は、２階以上に設置されることが多く、その下方に日除けや目隠し用のシェードやスクリーン等の機能商品を後付けで設置したいという要望がある。例えば特許文献１には、前桁の下面に被装着部品を係合可能な係合溝を設けたバルコニーが開示されている。
【先行技術文献】
【特許文献】
【０００３】
【特許文献１】特開平８−２０９８７０号公報
【発明の概要】
【発明が解決しようとする課題】
【０００４】
上記のような屋外構造物は、その外観品質や意匠性に関する要望も大きく、床材や屋根材といった上板材の下方に天井材が設置される場合もある。
【０００５】
天井材は、その端部が露出した状態では外観品質を損なうため、屋外構造物には天井材の端部をカバー部材で覆う構成がある。また天井材は、その端部ががたつくと製品品質を損なうため、屋外構造物には天井材端部を支持部材によって支持する構成もある。ところが、これらカバー部材や支持部材は、通常前桁等の下面側に装着されるため、上記したような機能商品を後付けするための係合溝を塞ぐことになる。その結果、屋外構造物は、製品としての汎用性や拡張性が低下してしまう。
【０００６】
本発明は、上記従来技術の課題を考慮してなされたものであり、高い外観品質を確保しつつ、汎用性や拡張性を確保することができる屋外構造物を提供することを目的とする。
【課題を解決するための手段】
【０００７】
本発明に係る屋外構造物は、建物躯体の外面から突出するように設けられた一対の妻梁と、該一対の妻梁の前端部間に連結された前桁と、前記妻梁及び前記前桁によって支持された上板材と、該上板材より下方で前記妻梁及び前記前桁によって支持された天井材とを備える屋外構造物であって、前記前桁の下面側に連結され、前記天井材の前端部を覆う前部アタッチメント部材と、前記一対の妻梁の下面側にそれぞれ連結され、前記天井材の側端部を覆う側部アタッチメント部材とを備え、前記前部アタッチメント部材及び前記側部アタッチメント部材のうち少なくとも一方の下面には、その長手方向に延在し、被装着部品を係合可能な係合溝が設けられていることを特徴とする。
【０００８】
このような構成によれば、当該屋外構造物は、上板材の下方に軒天となる天井材を設けたことで、高い外観品質を確保できる。また当該屋外構造物は、前部アタッチメント部材及び側部アタッチメント部材で天井材の端部を覆う構成により、外観品質を一層向上することができる。しかも当該屋外構造物は、前部アタッチメント部材及び側部アタッチメント部材のうち少なくとも一方の下面に係合溝を備える。このため、当該屋外構造物は、前部アタッチメント部材や側部アタッチメント部材の係合溝を利用して、機能商品等の被装着部品を容易に後付けすることができ、汎用性や拡張性を確保することができる。
【０００９】
本発明に係る屋外構造物において、前記前部アタッチメント部材及び前記側部アタッチメント部材は、前記天井材を支持する支持部を有する構成であってもよい。そうすると、当該屋外構造物は、前部アタッチメント部材及び側部アタッチメント部材で天井材を支持することができ、天井材のがたつきを抑えて製品品質を一層向上できる。しかも前部アタッチメント部材及び側部アタッチメント部材は、天井材を覆うカバー部材としての機能と天井材を支持する支持部材としての機能とを備えるため、各機能にそれぞれ対応する部品を個別に設ける必要がなく、部品点数やコストを低減できる。
【００１０】
本発明に係る屋外構造物は、建物躯体の外面から突出するように設けられた一対の妻梁と、該一対の妻梁の前端部間に連結された前桁と、前記妻梁及び前記前桁によって支持された上板材と、該上板材より下方で前記妻梁及び前記前桁によって支持された天井材とを備える屋外構造物であって、前記前桁の下面側に連結され、前記天井材の前端側を支持する支持部を有する前部アタッチメント部材と、前記一対の妻梁の下面側にそれぞれ連結され、前記天井材の側端側を支持する支持部を有する側部アタッチメント部材とを備え、前記前部アタッチメント部材及び前記側部アタッチメント部材のうち少なくとも一方の下面には、その長手方向に延在し、被装着部品を係合可能な係合溝が設けられていることを特徴とする。
【００１１】
このような構成によれば、当該屋外構造物は、上板材の下方に軒天となる天井材を設けたことで、高い外観品質を確保できる。また当該屋外構造物は、前部アタッチメント部材及び側部アタッチメント部材で天井材を支持する構成により、天井材のがたつきを抑えて製品品質を一層向上できる。しかも当該屋外構造物は、前部アタッチメント部材及び側部アタッチメント部材のうち少なくとも一方の下面に係合溝を備える。このため、当該屋外構造物は、前部アタッチメント部材や側部アタッチメント部材の係合溝を利用して、機能商品等の被装着部品を容易に後付けすることができ、汎用性や拡張性を確保することができる。
【００１２】
本発明に係る屋外構造物において、前記前部アタッチメント部材は、前記天井材の前端部を覆っており、前記側部アタッチメント部材は、前記天井材の側端部を覆っている構成であってもよい。そうすると、当該屋外構造物は、前部アタッチメント部材及び側部アタッチメント部材で天井材の端部を覆うことができ、外観品質を一層向上することができる。しかも前部アタッチメント部材及び側部アタッチメント部材は、天井材を支持する支持部材としての機能と天井材を覆うカバー部材としての機能とを備えるため、各機能にそれぞれ対応する部品を個別に設ける必要がなく、部品点数やコストを低減できる。
【００１３】
本発明に係る屋外構造物において、前記前桁及び前記一対の妻梁の下面には、その長手方向に延在し、前記被装着部品を係合可能な本体側係合溝が設けられており、前記前部アタッチメント部材は、前記前桁の本体側係合溝に係合される係合片を有し、前記側部アタッチメント部材は、前記妻梁の本体側係合溝に係合される係合片を有する構成であってもよい。そうすると、前部アタッチメント部材及び側部アタッチメント部材は、その係合片を利用して容易に且つ安定して前桁及び妻梁に装着することができる。また前部アタッチメント部材及び側部アタッチメント部材は、前桁及び妻梁への装着のためのねじを削減し或いはなくすことができ、ねじが外観上で目立つことを抑制でき、屋外構造物の外観品質が一層向上する。
【００１４】
本発明に係る屋外構造物において、前記前部アタッチメント部材及び前記側部アタッチメント部材は、その長手方向に延在する中空部を有し、前記係合溝は、前記中空部の下壁部に設けられた構成であってもよい。そうすると、前部アタッチメント部材及び側部アタッチメント部材は、中空部を有することで十分な剛性を確保できるため、天井材を一層安定して多い隠すことができ、或いは天井材を一層安定して支持することができる。
【発明の効果】
【００１５】
本発明に係る屋外構造物は、高い外観品質を確保しつつ、汎用性や拡張性を確保することができる。
【図面の簡単な説明】
【００１６】
【図１】図１は、本発明の一実施形態に係る屋外構造物の側面図である。
【図２】図２は、図１に示す屋外構造物の側面断面図である。
【図３】図３は、図１に示す屋外構造物の正面断面図である。
【図４】図４は、前部アタッチメント部材及びその周辺部を拡大した側面断面図である。
【図５】図５は、側部アタッチメント部材及びその周辺部を拡大した正面断面図である。
【図６】図６は、図４に示す前部アタッチメント部材に後付けの機能商品を装着した構成例を示す側面断面図である。
【発明を実施するための形態】
【００１７】
以下、本発明に係る屋外構造物について好適な実施の形態を挙げ、添付の図面を参照しながら詳細に説明する。
【００１８】
図１は、本発明の一実施形態に係る屋外構造物１０の側面図である。図２は、図１に示す屋外構造物１０の側面断面図である。図３は、図１に示す屋外構造物１０の正面断面図である。
【００１９】
本実施形態では、住宅や店舗等の建物躯体１１の外面１１ａから張り出すように設置されるバルコニーとしての屋外構造物１０を例示する。屋外構造物１０は、外面１１ａに開口する躯体開口部１１ｂの下部から屋外側へと突出しており、例えば躯体開口部１１ｂに設置された窓を通って人が屋内外に出入り可能な屋外スペースを形成する。屋外構造物１０は、例えば玄関庇のような屋根体等でもよい。
【００２０】
以下、バルコニーである屋外構造物１０を屋外側から屋内側に向かって見た方向を正面とし、正面から見て屋外構造物１０の手前側を前、奥側を後、上方を上、下方を下、左方を左、右方を右、と呼んで説明する。また屋外構造物１０の中央側を内側、外周側を外側と呼ぶ。さらに各図においては、前後方向を矢印Ｚで示し、上下方向を矢印Ｙで示し、左右方向を矢印Ｘで示す。
【００２１】
図１〜図３に示すように、屋外構造物１０は、デッキ部１２と、手摺部１４とを備える。
【００２２】
手摺部１４は、外面１１ａから突出したデッキ部１２の外周を囲むように、該デッキ部１２の前縁部及び左右の側縁部の上面に立設されている。手摺部１４は、デッキ部１２の前面及び左右両面の上部を囲む複数枚の格子パネル１６と、格子パネル１６の上部に亘って延在する笠木１７とを備える。格子パネル１６及び笠木１７は、デッキ部１２から立脚した支柱１８によって支持されている。
【００２３】
デッキ部１２は、左右一対の妻梁２０，２０と、前桁２２と、デッキ材２４と、天井材２６とを備える。
【００２４】
デッキ部１２は、ブラケット２８及び取付部材３０を介して建物躯体１１の外面１１ａに取り付けられている。ブラケット２８は、デッキ部１２と外面１１ａとの間を連結する構造体である。ブラケット２８は、例えば鋼材によって形成され、互いに接合された取付板２８ａと支持アーム２８ｂとを有する。取付部材３０は、ブラケット２８の取付板２８ａと外面１１ａとの間に介在する部材である。取付部材３０は、アルミニウム合金等の金属によって形成され、ブラケット２８と共に固定ねじ３２を介して躯体の外面１１ａに固定される。
【００２５】
取付部材３０には、根太３４が取り付けられている。根太３４は、その上面がブラケット２８の上面と略同位置となるように配設されている。根太３４は、ブラケット２８と共にその上面でデッキ材２４を支持している。
【００２６】
各妻梁２０は、アルミニウム合金等の金属の押出形材である。各妻梁２０は、中空部２０ａを有する角筒形状である（図３参照）。各妻梁２０は、デッキ部１２の左右側部で前後方向に亘って延在している。左右の妻梁２０，２０は、互いに左右対称構造となっている。各妻梁２０は、その前端部に前桁２２が連結される。各妻梁２０は、その後端部が取付部材３０を介して建物躯体１１に連結されている。各妻梁２０には、長手方向に亘って延在する本体側係合溝３６が設けられている。本体側係合溝３６は、中空部２０ａの下壁部となる下面２０ｂに設けられている。各妻梁２０の下面２０ｂには、側部アタッチメント部材３７が装着されている。
【００２７】
前桁２２は、アルミニウム合金等の金属の押出形材である。前桁２２は、中空部２２ａを有する角筒形状である（図２参照）。前桁２２は、左右の妻梁２０，２０の前端部間に亘るように左右方向に延在し、その左右端部がそれぞれ左右の妻梁２０，２０の前端部内面に連結されている。前桁２２には、長手方向に亘って延在する本体側係合溝３８が設けられている。本体側係合溝３８は、中空部２２ａの下壁部となる下面２２ｂに設けられている。前桁２２の下面２２ｂには、前部アタッチメント部材４０が装着されている。
【００２８】
デッキ材（上板材）２４は、樹脂や金属等で形成されて左右方向に延びたパネル体であり、バルコニーである当該屋外構造物１０の床材となる。デッキ材２４は、ブラケット２８及び根太３４の上面に略水平に載置されている。デッキ材２４の左右の側端部は、それぞれ左右の妻梁２０，２０の内側側面に沿って固定された妻樋部材４２，４２に連結されている（図３参照）。各妻樋部材４２は、上面が開口した凹形状を有する。各妻樋部材４２は、その下面が排水管４４に連結している。妻樋部材４２は、デッキ材２４上への降雨等による水を地表面で開口した排水管４４へと排水する樋となる。
【００２９】
天井材２６は、樹脂や金属等の薄板で形成されて前後方向に延びたパネル体である。天井材２６は、左右の側部アタッチメント部材３７，３７間に亘るように左右方向に複数枚並んでいる。左右両端の天井材２６の側端部２６ａは、側部アタッチメント部材３７に支持されている。天井材２６の前端部２６ｂは、前部アタッチメント部材４０によって支持されている。天井材２６の後端部２６ｃは、後部アタッチメント部材４６に支持されている。後部アタッチメント部材４６は、取付部材３０に連結されて排水管４４を支持する排水管保持部材４７の前面に連結されている。
【００３０】
図４は、前部アタッチメント部材４０及びその周辺部を拡大した側面断面図である。
【００３１】
図４に示すように、前部アタッチメント部材４０は、前桁２２の下面２２ｂに連結される。前部アタッチメント部材４０は、中空部４０ａと、支持片４８と、係合片５０と、係合溝５２と、カバー片５４とを有する。前部アタッチメント部材４０は、アルミニウム合金等の金属の押出形材である。前部アタッチメント部材４０は、天井材２６の前端部２６ｂを覆うカバー部材としての機能と、天井材２６の前端側（前端部２６ｂ付近）を支持する支持部材としての機能とを有する。
【００３２】
支持片４８は、中空部４０ａの上壁部となる上面４０ｂの後端から後方へと突出している。支持片４８は、上面４０ｂから後方へと水平に突出し、斜め下方へと屈曲した後、さらに水平に屈曲することで略クランク形状に形成された突出片である。支持片４８は、先端側（後端側）の水平部分が天井材２６の支持部４８ａとなる。支持部４８ａは、天井材２６の上面に当接配置され、該上面と取付ねじ５５を用いて締結される。さらに支持片４８は、基端側（前端側）の水平部分が前桁２２の下面２２ｂに対する固定部４８ｂとなる。固定部４８ｂは、下面２２ｂに当接配置され、該下面２２ｂと固定ねじ５６を用いて締結される。前桁２２は、固定部４８ｂが締結される下面２２ｂを他の部分よりも厚肉に形成し、十分な強度を確保している。
【００３３】
係合片５０は、上面４０ｂから上方に突出した後、前方へと屈曲することでフック形状に形成された突出片である。係合片５０は、前桁２２の下面２２ｂに形成された本体側係合溝３８に係合される。本体側係合溝３８は、下面２２ｂを中空部２２ａ内へと凹ませた形状を有し、前桁２２の長手方向に延在している。本体側係合溝３８は、下面側の開口３８ａと、開口３８ａの前後縁部となる前縁片３８ｂ及び後縁片３８ｃを有する。係合片５０は、本体側係合溝３８内に挿入され、前縁片３８ｂを包含するように該前縁片３８ｂに係合される。
【００３４】
係合溝５２は、中空部４０ａの下壁部となる下面４０ｃに設けられている。係合溝５２は、前桁２２の本体側係合溝３８と略同一形状を有し、前部アタッチメント部材４０の長手方向に延在している。係合溝５２は、下面４０ｃを中空部４０ａ内へと凹ませた形状である。係合溝５２は、下面側の開口５２ａと、開口５２ａの前後縁部となる前縁片５２ｂ及び後縁片５２ｃを有する。
【００３５】
カバー片５４は、係合溝５２の後縁片３８ｃの後端から後方へと突出した後、上方に屈曲することで略Ｌ字形状に形成された突出片である。カバー片５４は、天井材２６の前端部２６ｂの下方を覆うように配置される。
【００３６】
前部アタッチメント部材４０は、その前面４０ｄの下部に水切り部５８を有する。水切り部５８は、前面４０ｄを流れ落ちた雨水等が下面４０ｃ側へと伝うことを防止するための縁切り部である。なお、前桁２２についても前部アタッチメント部材４０の水切り部５８と同様に機能する水切り部５９を有する。
【００３７】
このような前部アタッチメント部材４０は、係合片５０を前桁２２の本体側係合溝３８に係合させ、支持片４８の固定部４８ｂを固定ねじ５６で前桁２２の下面２２ｂに締結することで、前桁２２の下面２２ｂに対して強固に連結される。これにより、前部アタッチメント部材４０は、中空部４０ａ及びカバー片５４によって天井材２６の前端部２６ｂを前方及び下方から覆い隠すカバー部材として機能する。なお、天井材２６の前端部２６ｂの上方は、前桁２２及び支持片４８によって覆われる。前部アタッチメント部材４０は、支持片４８の支持部４８ａによって天井材２６の前端部２６ｂ付近を支持する支持部材としても機能する。
【００３８】
なお、前部アタッチメント部材４０は、天井材２６の前端部２６ｂを覆うカバー部材としての機能のみを有し、天井材２６を支持する支持部材としての機能を持たない構成であってもよく、逆に支持部材としての機能のみを有し、カバー部材としての機能を持たない構成であってもよい。但し、前部アタッチメント部材４０は、カバー部材としての機能と支持部材としての機能を両方有する方が、部品点数やコストの点で有利である。
【００３９】
ところで、前部アタッチメント部材４０は、前桁２２への装着によって覆い隠した前桁２２の本体側係合溝３８の代替として機能する係合溝５２を有する。このため、図６に示すように、当該屋外構造物１０は、前部アタッチメント部材４０の係合溝５２を用いて後付けの機能商品６０を装着可能であるが、詳細は後述する。
【００４０】
図５は、側部アタッチメント部材３７及びその周辺部を拡大した正面断面図である。
【００４１】
図５に示すように、側部アタッチメント部材３７は、各妻梁２０の下面２０ｂに連結される。側部アタッチメント部材３７は、中空部３７ａと、支持部６２と、固定部６４と、係合片６６と、カバー片６８とを有する。側部アタッチメント部材３７は、アルミニウム合金等の金属の押出形材である。側部アタッチメント部材３７は、天井材２６の側端部２６ａを覆うカバー部材としての機能と、天井材２６の側端側（側端部２６ａ付近）を支持する支持部材としての機能とを有する。
【００４２】
支持部６２は、中空部３７ａの下面３７ｂを形成する下壁部の一部である。支持部６２は、中空部３７ａの下壁部の後端側部分を他の部分よりも厚肉に形成した部分である。支持部６２は、天井材２６の上面に当接配置され、該上面と取付ねじ７０を用いて締結される。
【００４３】
固定部６４は、中空部３７ａの上壁部となる上面３７ｃの内端から内側へと突出した突出片である。固定部６４は、妻梁２０の下面２０ｂに当接配置され、該下面２０ｂと固定ねじ７１を用いて締結される。妻梁２０は、固定部６４が締結される中空部２０ａの下壁部の内端側部分を他の部分よりも厚肉に形成し、十分な強度を確保している。
【００４４】
係合片６６は、上面３７ｃから上方に突出した後、内側へと屈曲することでフック形状に形成された突出片である。係合片６６は、妻梁２０の下面２０ｂに形成された本体側係合溝３６に係合される。本体側係合溝３６は、下面２０ｂを中空部２０ａ内へと凹ませた形状を有し、妻梁２０の長手方向に延在している。本体側係合溝３６は、下面側の開口３６ａと、開口３６ａの左右縁部となる外縁片３６ｂ及び内縁片３６ｃを有する。係合片６６は、本体側係合溝３６内に挿入され、内縁片３６ｃを包含するように該内縁片３６ｃに係合される。
【００４５】
カバー片６８は、中空部３７ａの外側の側壁部となる外面３７ｄから下方へと突出し、水切り部７２を介して水平に屈曲した後、さらに上方から水平に屈曲することで略Ｌ字形状に形成された突出片である。カバー片６８は、天井材２６の側端部２６ａの側方から下方にかかる位置までを覆うように配置される。なお、水切り部７２は、上記した前部アタッチメント部材４０の水切り部５８と同様に機能する。妻梁２０についても側部アタッチメント部材３７の水切り部７２と同様に機能する水切り部７３を有する。
【００４６】
カバー片６８は、先端側（内側）の水平部分が下カバー７４の連結部６８ａとなる。連結部６８ａは、カバー片６８の他の部分よりも厚肉に形成されている。下カバー７４は、天井材２６の側端部２６ａの下方を覆う略Ｕ字形状のカバー部７４ａと、カバー片６８の連結部６８ａと連結される連結部７４ｂとを有する。連結部７４ｂは、連結ねじ７６を用いて連結部６８ａと締結される。
【００４７】
このような側部アタッチメント部材３７は、係合片６６を妻梁２０の本体側係合溝３６に係合させ、固定部６４を固定ねじ７１で妻梁２０の下面２０ｂに締結することで、妻梁２０の下面２０ｂに対して強固に連結される。これにより、側部アタッチメント部材３７は、カバー片６８及び下カバー７４によって天井材２６の側端部２６ａを側方及び下方から覆い隠すカバー部材として機能する。なお、天井材２６の側端部２６ａの上方は、中空部３７ａによって覆われる。側部アタッチメント部材３７は、支持部６２によって天井材２６の側端部２６ａ付近を支持する支持部材としても機能する。この際、支持部６２と天井材２６とを締結する取付ねじ７０は、下カバー７４によって隠される。また、カバー片６８と下カバー７４とを締結する連結ねじ７６の頭部は、カバー片６８及び下カバー７４の下面から一段凹んだ凹状部７８の内部に隠される。このため、取付ねじ７０を隠す下カバー７４を固定するための連結ねじ７６が当該屋外構造物１０の外観上で目立つことを抑えており、特に連結ねじ７６は正面側からは全く見えない配置となっている。
【００４８】
なお、側部アタッチメント部材３７は、天井材２６の側端部２６ａを覆うカバー部材としての機能のみを有し、天井材２６を支持する支持部材としての機能を持たない構成であってもよく、逆に支持部材としての機能のみを有し、カバー部材としての機能を持たない構成であってもよい。但し、側部アタッチメント部材３７は、カバー部材としての機能と支持部材としての機能を両方有する方が、部品点数やコストの点で有利である。
【００４９】
図６は、図４に示す前部アタッチメント部材４０に後付けの機能商品６０を装着した構成例を示す側面断面図である。
【００５０】
上記のような屋外構造物１０は、その製品バリエーションとして天井材２６を設けない構成が採用される場合もあり、この構成の場合は、側部アタッチメント部材３７及び前部アタッチメント部材４０も省略される。このため、妻梁２０及び前桁２２は、その下面２０ｂ，２２ｂが露出し、それぞれの本体側係合溝３６，３８も露出する。その結果、図６に示す機能商品６０と同様な機能商品を本体側係合溝３６，３８に装着して利用することができる。
【００５１】
一方、本実施形態の屋外構造物１０は、側部アタッチメント部材３７及び前部アタッチメント部材４０を設けているため、妻梁２０及び前桁２２の本体側係合溝３６，３８を利用できなくなっている。そこで、図６に示すように、当該屋外構造物１０は、前部アタッチメント部材４０に係合溝５２を設けることで、機能商品６０の装着を可能となっている。
【００５２】
図６に示すように、機能商品６０は、例えば巻取装置８０と、巻取装置８０で巻取可能なロール式のシェード８２とを有する。機能商品６０は、巻取装置８０のハウジング８０ａに連結した２つのブラケット８４，８５を介して前部アタッチメント部材４０に装着される。ブラケット８４は、ハウジング８０ａとブラケット８５との間を連結している。ブラケット８５は、略逆Ｌ字形状を有し、その上辺となる水平部分の装着片８５ａが装着ねじ８６，８７を用いて前部アタッチメント部材４０の下面４０ｃに装着される。装着ねじ８６は、装着片８５ａの後側部分とカバー片５４との間を締結する。装着ねじ８７は、装着片８５ａの前側部分と係合溝５２内に係合保持された裏板８８との間を締結する。
【００５３】
このように屋外構造物１０は、前部アタッチメント部材４０の下面４０ｃに係合溝５２を有するため、後加工等の作業を行うことなく係合溝５２を利用して機能商品６０を容易に後付けできる。勿論、側部アタッチメント部材３７を前部アタッチメント部材４０と同様に係合溝５２を有する構成とし、側部アタッチメント部材３７の下方に機能商品６０を設置可能な構成としてもよい。例えば側部アタッチメント部材３７は、係合溝５２を有する構成とする場合、前部アタッチメント部材４０と略同一形状に構成されてもよいし、カバー片６８の下面６８ｂに係合溝５２を設けた構成としてもよい。
【００５４】
なお、機能商品６０は、例えば屋外構造物１０の下方に吊下支持されて下の階や地表面等までロール式に引き出されるシェードやスクリーン、或いは屋外構造物１０の下方で吊下支持される物干し棒等を例示できる。さらに機能商品６０は、屋外構造物１０の下方に水平設置される庇等の屋根やパネル状の硬質のスクリーンや目隠し壁等も例示できる。
【００５５】
以上のように、本実施形態に係る屋外構造物１０は、建物躯体１１の外面１１ａから突出するように設けられた一対の妻梁２０，２０と、一対の妻梁２０，２０の前端部間に連結された前桁２２と、妻梁２０及び前桁２２によって支持された上板材となるデッキ材２４と、デッキ材２４より下方で妻梁２０及び前桁２２によって支持された天井材２６とを備える。さらに屋外構造物１０は、前桁２２の下面２２ｂ側に連結され、天井材２６の前端部２６ｂを覆う前部アタッチメント部材４０と、一対の妻梁２０，２０の下面２０ｂ側にそれぞれ連結され、天井材２６の側端部２６ａを覆う側部アタッチメント部材３７とを備え、前部アタッチメント部材４０及び側部アタッチメント部材３７のうち少なくとも一方の下面４０ｃ（６８ｂ）には、その長手方向に延在し、被装着部品となる機能商品６０を係合可能な係合溝５２が設けられている。なお、本実施形態の場合、天井材２６は、妻梁２０及び前桁２２に対して前部アタッチメント部材４０及び側部アタッチメント部材３７を介して間接的に支持された構成を例示したが、天井材２６は妻梁２０及び前桁２２に対して直接的に支持されてもよい。同様に、デッキ材２４は、妻梁２０及び前桁２２に対して直接的ではなく間接的に支持されてもよい。
【００５６】
また本実施形態に係る屋外構造物１０は、建物躯体１１の外面１１ａから突出するように設けられた一対の妻梁２０，２０と、一対の妻梁２０，２０の前端部間に連結された前桁２２と、妻梁２０及び前桁２２によって支持された上板材となるデッキ材２４と、デッキ材２４より下方で妻梁２０及び前桁２２によって支持された天井材２６とを備える。さらに屋外構造物１０は、前桁２２の下面２２ｂ側に連結され、天井材２６の前端側を支持する支持部４８ａを有する前部アタッチメント部材４０と、一対の妻梁２０，２０の下面２０ｂ側にそれぞれ連結され、天井材２６の側端側を支持する支持部６２を有する側部アタッチメント部材３７とを備え、前部アタッチメント部材４０及び側部アタッチメント部材３７のうち少なくとも一方の下面４０ｃ（６８ｂ）には、その長手方向に延在し、被装着部品となる機能商品６０を係合可能な係合溝５２が設けられている。
【００５７】
従って、当該屋外構造物１０は、前部アタッチメント部材４０及び側部アタッチメント部材３７を設けたことで、天井材２６の端部を覆い隠し或いは支持することができる。これにより当該屋外構造物１０は、デッキ材２４の下方に軒天となる天井材２６を設けたことで、高い外観品質を確保できる。また当該屋外構造物１０は、前部アタッチメント部材４０及び側部アタッチメント部材３７で天井材２６の端部を覆う構成により、外観品質を一層向上することができる。さらに当該屋外構造物１０は、前部アタッチメント部材４０及び側部アタッチメント部材３７で天井材２６の端部を支持する構成により、天井材２６のがたつきを抑えて製品品質を一層向上できる。しかも当該屋外構造物１０は、前部アタッチメント部材４０及び側部アタッチメント部材３７のうち少なくとも一方の下面４０ｃ（６８ｂ）に係合溝５２を備える。このため、当該屋外構造物１０は、仮に前桁２２や妻梁２０に設けられた本体側係合溝３８，３６が前部アタッチメント部材４０や側部アタッチメント部材３７で使用不能となった場合であっても、前部アタッチメント部材４０や側部アタッチメント部材３７の係合溝５２を利用できる。その結果、当該屋外構造物１０は、機能商品６０を容易に後付けすることができ、汎用性や拡張性を確保することができる。
【００５８】
当該屋外構造物１０において、前桁２２及び一対の妻梁２０，２０の下面２２ｂ，２０ｂには、その長手方向に延在し、機能商品６０を係合可能な本体側係合溝３８，３６が設けられている。そして、前部アタッチメント部材４０は、前桁２２の本体側係合溝３８に係合される係合片５０を有し、側部アタッチメント部材３７は、妻梁２０の本体側係合溝３６に係合される係合片６６を有する。これにより、前部アタッチメント部材４０及び側部アタッチメント部材３７は、その係合片５０，６６を利用して容易に且つ安定して前桁２２及び妻梁２０に装着することができる。しかも、図４及び図５に示すように、当該屋外構造物１０では、係合片５０，６６と本体側係合溝３８，３６との係合部が、固定ねじ５６，７１による前部アタッチメント部材４０及び側部アタッチメント部材３７と前桁２２及び妻梁２２との締結部より外側に位置している。このため、当該屋外構造物１０は、前部アタッチメント部材４０及び側部アタッチメント部材３７を前桁２２及び妻梁２０に装着するための固定ねじ５６，７１が外部に露出することがなく、外観品質を一層向上させている。
【００５９】
当該屋外構造物１０において、前部アタッチメント部材４０及び側部アタッチメント部材３７は、その長手方向に延在する中空部４０ａ，３７ａを有し、係合溝５２は中空部４０ａ，３７ａの下壁部となる下面４０ｃ（６８ｂ）に設けられている。これにより、前部アタッチメント部材４０及び側部アタッチメント部材３７は、中空部４０ａ，３７ａを有することで十分な剛性を確保できるため、天井材２６を一層安定して多い隠すことができ、或いは天井材２６を一層安定して支持することができる。
【００６０】
当該屋外構造物１０は、図３に示すようにデッキ材２４を支持する根太３４やブラケット２８から天井材２６が離間している。このため、人がデッキ材２４の上面を歩いて根太３４等が撓んだり振動したりしても、天井材２６が撓んだり振動したりすることが防止され、高い製品品質が得られる。
【００６１】
なお、本発明は、上記した実施形態に限定されるものではなく、本発明の主旨を逸脱しない範囲で自由に変更できることは勿論である。
【００６２】
上記した通り、屋外構造物１０は、例えば玄関庇のような屋根体等でもよく、この構成の場合はデッキ材２４に代えた上板材として屋根材を用いるとよい。
【符号の説明】
【００６３】
１０  屋外構造物、１１  建物躯体、１１ａ  外面、１２  デッキ部、２０  妻梁、２０ａ，２２ａ，３７ａ，４０ａ  中空部、２０ｂ，２２ｂ，３７ｂ，４０ｃ，６８ｂ  下面、２２  前桁、２４  デッキ材、２６  天井材、２６ａ  側端部、２６ｂ  前端部、３６，３８  本体側係合溝、３７  側部アタッチメント部材、４０  前部アタッチメント部材、４８ａ，６２  支持部、５０，６６  係合片、５２  係合溝、６０  機能商品
【図１】
2018178528.tif 000003
【図２】
2018178528.tif 000004
【図３】
2018178528.tif 000005
【図４】
2018178528.tif 000006
【図５】
2018178528.tif 000007
【図６】
2018178528.tif 000008